(57)【要約】【課題】通話時に話し手の声量を自動調整し、聞き手に聞こえる声量が常に一定になるようなインターホンシステムを提供することにある。【解決手段】マンションなどの集合住宅の共同玄関等に設けられたロビーインターホン２と、警報監視盤３と、各住戸内に設けられた宅内インターホン１と、の間で、通話用マイク１３ａと通話用スピーカー１２ａと通話用スピーカー１２ａに入力するための音声信号を増幅するアンプ１１ａとを介して通話を行うインターホンシステムにおいて、通話用マイク１３ａに入力された話し手の声量を検出する検出回路２０ｂと、前記検出回路２０ｂが検出したレベルに基づき前記通話用スピーカー１２ａから出力される声量を所定のレベルにするために前記アンプ１１ａの利得を調整する利得調整回路２０ａと、を有する通話音量自動調整回路１０を備えたものである。【選択図】  図３
2004207855.tif 000002
【特許請求の範囲】
【請求項１】
マンションなどの集合住宅の共同玄関等に設けられたロビーインターホンと、警報監視盤と、各住戸内に設けられた宅内インターホンと、の間で、通話用マイクと通話用スピーカーと通話用スピーカーに入力するための音声信号を増幅するアンプとを介して通話を行うインターホンシステムにおいて、通話用マイクに入力された話し手の声量を検出する検出回路と、前記検出回路が検出した声量のレベルに基づき前記通話用スピーカーから出力される声量を所定のレベルにするために前記アンプの利得を調整する利得調整回路と、を有する通話音量自動調整回路を備え、この通話音量自動調整回路が動作することによって、通話用マイクに入力される話し手の声量が小さければ、通話用スピーカーから出力される声量を大きくし、通話用マイクに入力される話し手の声量が大きければ、通話用スピーカーから出力される声量を小さくするようになしたことを特徴とするインターホンシステム。
【請求項２】
ロビーインターホンと、警報監視盤と、宅内インターホンと、に通話音量自動調整回路を備えたことを特徴とする請求項１記載のインターホンシステム。
【請求項３】
通話音量自動調整回路が動作してから所定時間経過後、再度、通話音量自動調整回路は通話用マイクに入力される話し手の声量を検出し、通話用スピーカーから出力される声量を所定のレベルにするようになしたことを特徴とする請求項１又は請求項２記載のインターホンシステム。
【発明の詳細な説明】
【０００１】
【発明の属する技術分野】
本発明は、マンションなどの集合住宅の共同玄関等に設けられたロビーインターホンと、各住戸内に設けられた宅内インターホンと、管理人室等に設けられた警報監視盤と、の間で通話を行うためのインターホンシステムに関するものである。
【０００２】
【従来の技術】
従来のインターホンシステムとしては、特開２０００−２８６９７４号公報に示すようなものが知られている。このシステムは、ＨＡに関連する機能と、防犯・防災等のための機能を備えたシステムである。このインターホンシステムを図７に示す。このインターホンシステムは、オートロックシステムが設置されたマンション等に設置されており、訪問者は、住戸の玄関に通じる共通の入口の自動ドアを開錠してもらいマンション内に入るために、１階の共同玄関（ロビー）に設けられた、ロビーインターホン２から訪問先の住戸を呼び出して通話するものである。
【０００３】
以下に、このインターホンシステムについてより詳細に説明する。１は各住戸内に設置される宅内インターホン、１ｂは各住戸内に設置され宅内インターホン１に接続される通話用増設機である副宅内インターホン、３は管理人室に設けられる警報監視盤、２は共同玄関に設置され警報監視盤３に接続されるロビーインターホンである。また、４は各住戸の玄関に設置され宅内インターホン１に接続される住戸用のドアホンである。
【０００４】
宅内インターホン１は、警報監視盤３を介してロビーインターホン２に接続され、訪問者がロビーインターホン２の呼出操作部２ａの押釦等を操作し、訪問先の住戸を呼び出すと、住戸内に設置された宅内インターホン１のスピーカーから呼び出し音が出力され、住人が宅内インターホン１のハンドセット１ａを取り上げると、訪問者と通話が可能なように構成されている。また、上記システムにおいて、ロビーインターホン２が設置されている場所の騒音環境を考慮する場合は、ロビーインターホン２が、周囲騒音を集音し、その周囲騒音の値が低い場合には、ロビーインターホン２の拡声通話用スピーカー２ｃから出力される通話音声が小さくなるように、周囲雑音の値に応じて前記拡声通話用スピーカー２ｃから出力される通話音声量を変えるように構成されている。
【０００５】
図７に示すシステムは、住人は宅内インターホン１のハンドセット１ａを用い、訪問者は、ロビーインターホン２に内蔵された、通話用マイク２ｂ及び拡声通話用スピーカー２ｃを用いて通話を行うように構成されている。
【０００６】
又、マンションなどの集合住宅用に使用されるインターホンシステムではないが、玄関子機と居室親機を使用したシステムとして、特開２００２−１８５６２５号公報に示すようなものがある。このシステムは、住宅玄関に設置される玄関子機と住宅内に設置される居室親機とが２線からなる伝送路を介して接続され構成されている。この場合は、玄関子機の子機マイクからの受信信号を居室親機の通話回路の受話アンプを介して受話部に入力し、通話回路の親機マイクからの送話信号を送話アンプを介して玄関子機の子機スピーカに入力して通話を行うに当たり玄関子機が設置される住戸玄関の周囲近傍の騒音レベルに応じて、居室親機にて増幅される送受信信号の増幅利得を自動でレベル調整するようにしたものである。
【０００７】
【特許文献１】
特開２０００−２８６９７４号公報
【０００８】
【特許文献２】
特開２００２−１８５６２５号公報
【０００９】
【発明が解決しようとする課題】
特開２０００−２８６９７４号公報のような従来技術では、通話時において、話し手の声量が小さいと聞き手に聞こえる声量も小さくなり、また、話し手の声量が大きいと聞き手に聞こえる声量も大きくなるので、話し手の声量によっては、声が聞き取りにくいという問題があった。また、ロビーインターホンが設置された場所の騒音環境を考慮した場合でも、ロビーインターホンが設置された場所の周囲雑音が小さく宅内インターホンの話し手の声量が大きい場合は、ロビーインターホンの聞き手に聞こえる声量も大きくなり、また、ロビーインターホンが設置された場所の周囲雑音が小さく宅内インターホンの話し手の声量が小さい場合は、ロビーインターホンの聞き手に聞こえる声量も小さくなり、宅内インターホンの話し手の声量や周囲環境によっては、声が聞き取りにくいという問題があった。
【００１０】
又、特開２００２−１８５６２５号公報のような従来技術は、周囲雑音のレベルによって、通話音量を可変させるものであり、周囲雑音が小さく、話し手の声量が小さい場合は、聞き手に聞こえるこえも小さくなり、また、周囲雑音が小さく、話し手の声量が大きい場合は、聞き手に聞こえる声量も大きくなるので、話し手の声量や周囲環境によっては、声が聞き取りにくいという問題があった。
【００１１】
本発明は、このような問題点を解決するためになされたものであり、その目的とするところは、インターホンシステムに通話音量自動調整回路を設け、通話時に話し手の声量を自動調整し、聞き手に聞こえる声量が常に一定になるようなインターホンシステムを提供することにある。
【００１２】
【課題を解決するための手段】
上記問題点を解決するため、請求項１記載の発明にあっては、マンションなどの集合住宅の共同玄関等に設けられたロビーインターホンと、警報監視盤と、各住戸内に設けられた宅内インターホンと、の間で、通話用マイクと通話用スピーカーと通話用スピーカーに入力するための音声信号を増幅するアンプとを介して通話を行うインターホンシステムにおいて、通話用マイクに入力された話し手の声量を検出する検出回路と、前記検出回路が検出した声量のレベルに基づき前記通話用スピーカーから出力される声量を所定のレベルにするために前記アンプの利得を調整する利得調整回路と、を有する通話音量自動調整回路を備え、この通話音量自動調整回路が動作することによって、通話用マイクに入力される話し手の声量が小さければ、通話用スピーカーから出力される声量を大きくし、通話用マイクに入力される話し手の声量が大きければ、通話用スピーカーから出力される声量を小さくするようにしたものである。
【００１３】
したがって、この場合は、通話自動調整回路が、話し手の声量が小さいと聞き手に聞こえる聞こえる声量を大きくし、また、話し手の声量が大きいと聞き手に聞こえる声量も小さくするように、通話用スピーカーから出力される声量を自動的に所定のレベルにすることにより、聞き手に聞こえる声量が常に一定になって、聞き手は話し手の声が聞き取り易くなる。
【００１４】
請求項２記載の発明にあっては、特に、ロビーインターホンと、警報監視盤と、宅内インターホンと、に通話音量自動調整回路を備えたものである。
【００１５】
したがって、この場合は、特に、ロビーインターホン及び警報監視盤及び宅内インターホン全てに通話音量自動調整回路が備わっているので、ロビーインターホン及び警報監視盤及び宅内インターホンの周囲環境の違いに応じて通話用スピーカーから出力される声量のレベル値を設定することができるので、より一層、聞き手は話し手の声が聞き取り易くなる。
【００１６】
請求項３記載の発明にあっては、特に、通話音量自動調整回路が動作してから所定時間経過後、再度、通話音量自動調整回路は通話用マイクに入力される話し手の声量を検出し、通話用スピーカーから出力される声量を所定のレベルにするようになしたものである。
【００１７】
したがって、この場合は、特に、通話開始時、通話音量自動調整回路が動作し通話用スピーカーから出力される声量を所定のレベルに設定してから、話し手の声量が変わった場合でも、所定時間後に再び通話音量自動調整回路が話し手の声量を検出し通話用スピーカーから出力される声量を所定のレベルにするので、通話中に話し手の音量が変化しても所定時間後には聞き手に聞こえる声量が一定になり、聞き手は話し手の声が聞き取り易くなる。
【００１８】
【発明の実施の形態】
図１から図６は、本発明の請求項１乃至請求項３に対応した一実施形態であるインターホンシステムを示している。
【００１９】
この実施形態のインターホンシステムは、マンションなどの集合住宅の共同玄関等に設けられたロビーインターホン２と、警報監視盤３と、各住戸内に設けられた宅内インターホン１と、の間で、通話用マイク１３ａと通話用スピーカー１２ａと通話用スピーカー１２ａに入力するための音声信号を増幅するアンプ１１ａとを介して通話を行うインターホンシステムにおいて、通話用マイク１３ａに入力された話し手の声量を検出する検出回路２０ｂと、前記検出回路２０ｂが検出した声量のレベルに基づき前記通話用スピーカー１２ａから出力される声量を所定のレベルにするために前記アンプ１１ａの利得を調整する利得調整回路２０ａと、を有する通話音量自動調整回路１０を備え、この通話音量自動調整回路１０が動作することによって、通話用マイク１３ａに入力される話し手の声量が小さければ、通話用スピーカー１２ａから出力される声量を大きくし、通話用マイク１３ａに入力される話し手の声量が大きければ、通話用スピーカー１２ａから出力される声量を小さくするようになしたものである。
【００２０】
更に、宅内インターホン１と、ロビーインターホン２と、警報監視盤３と、に通話音量自動調整回路１０を備えたものである。
【００２１】
更に、利用者が通話を開始し、通話音量自動調整回路１０が動作してから所定時間経過後、通話音量自動調整回路１０は通話用マイク１３ａに入力される話し手の声量を検出し、通話用スピーカー１２ａから出力される声量を所定のレベルにするようになしたものである。
【００２２】
以下に、この実施形態のインターホンシステムにいついて、より詳細に説明する。
【００２３】
図１は、本実施形態であるインターホンシステムのシステム図である。図２は、上記インターホンシステムの構成を示すブロック図、図３は上記のインターホンシステムの回路ブロック図、図４は上記のインターホンシステムのフローチャート図、図５は、上記のインターホンシステムのハンドセット１ａを示す構成図、図６は上記のインターホンシステムの通話音量自動調整回路１０を示す構成図である。
【００２４】
図１で、ロビーインターホン２と警報監視盤３はＡで接続されている。更に、警報監視盤３と宅内インターホン１は、分岐器５を介してＢで接続されていて、警報監視盤３には複数の宅内インターホン１が分岐器５を介してＢで接続されるようになっている。更に、各宅内インターホン１とドアホン４はＣで接続されている。
【００２５】
図２で各住戸内に設置される宅内インターホン１は、ハンドセット１ａを有し、管理人室等に設けられる警報監視盤３を介して、共同玄関（ロビー）に設置されるロビーインターホン２と接続されると共に、各住戸の玄関に設置される住戸用ドアホン４と接続され、ロビーインターホン２及び住戸用ドアホン４を用いる訪問者、又は、警報監視盤３に内蔵された通話システムを用いる管理人との通話が可能に構成されている。
【００２６】
つぎに、図３の宅内インターホン１は、呼び出し用のスピーカー１２と、アンプ１１ａと通話用スピーカー１２ａと通話用マイク１３ａを有するハンドセット１ａと、電源部１１とベースＰ板Ｂ／Ｋ１２と、通話音量自動調整回路１０を有するメインＰ板Ｂ／Ｋ１３と、表示操作Ｐ板Ｂ／Ｋ１４と、を備えている。
【００２７】
つぎに、図３のロビーインターホン２は、電源部１１と、アンプ１１ａと、通話用スピーカー１２ａと、通話用マイク１３ａと、通話音量自動調整回路１０を有する通話回路２０と、メイン回路２２と表示部２３と、メモリ２４と、多重伝送回路２５と、テンキー操作部２６を備えている。
【００２８】
つぎに、図３の警報監視盤３は、通話用スピーカー１２ａと通話用マイク１３ａとを有するハンドセット１ａと、電源部１１と、呼び出し用のスピーカー１２と、通話音量自動調整回路１０を有する通話回路２０と、メイン回路２２と、表示部２３と、メモリ２４と、多重伝送回路２５と、操作部３１を備えている。
【００２９】
宅内インターホン１は、ベースＰ板Ｂ／Ｋ１２から信号線を介してロビーインターホン２の多重伝送回路２５と警報監視盤３の多重伝送回路２５に接続され、呼出制御と通話路を形成する制御等の制御信号の送受信は、多重信号伝送回路２５を介して行われる。
【００３０】
また、宅内インターホン１のベースＰ板Ｂ／Ｋ１２から信号線を介して、ロビーインターホン２の通話回路２０又は警報監視盤３に接続され、通話音声が伝送される。
【００３１】
つぎに、話し手がロビーインターホン２を利用して通話を行うための手順を図４のフローチャートを使い説明する。
【００３２】
まず、利用者である話し手が、ロビーインターホン２を操作し、訪問先の住戸の呼び出しを行うと、ロビーインターホン２の多重信号伝送回路２５及び警報監視盤３の多重信号伝送回路２５を介して住戸の情報及び呼出がある旨の制御信号が伝送される。これにより、警報監視盤３は、住戸内に設けられた宅内インターホン１のスピーカー１２より呼出音が出力され、住人が宅内インターホン１のハンドセット１ａを取り上げると、宅内インターホン１は警報監視盤３に応答するむねの制御信号を伝送する。そして、多重伝送路２５を介して通話路を確立するための制御信号が警報監視盤３から出力され、ロビーインターホン２と宅内インターホン１との間で通話路が形成され通話が可能となる。
【００３３】
ロビーインターホン２を利用している話し手の声が通話用マイク１３ａに入力され、通話音量自動調節回路１０の検出回路２０ａにて、声量が検出される。
【００３４】
このとき、話し手の声量が所定の大きさであれば、話し手の声量がそのまま宅内インターホン１のハンドセット１ａより出力される。
【００３５】
また、ロビーインターホン２を利用している話し手の声量が小さければ利得調整回路２０ｂがアンプ１１ａの利得を大きくし、話し手の声量が大きければ利得調整回路２０ｂがアンプ１１ａの利得を小さくし、話し手の声量を所定の大きさに調整し宅内インターホン１のハンドセット１ａより出力される。なお、図４のフローチャートでは、話し手の声が小さい場合を記載している。
【００３６】
そして、通話を開始し通話音量自動調整回路１０が動作してから３分経過後に会話が継続していた場合は、再び通話音量自動調整回路１０が話し手の声量を検出し通話用スピーカー１２ａから出力される声量を所定のレベルに設定する。
【００３７】
したがって、本実施形態では、通話自動調整回路１０が、話し手の声量が小さいと聞き手に聞こえる声量を大きくし、また、話し手の声量が大きいと聞き手に聞こえる聞こえる声量も小さくするように、通話用スピーカー１２ａから出力される声量を自動的に所定のレベルにすることにより、聞き手に聞こえる声量が常に一定になって、聞き手は話し手の声が聞き取り易くなる。
【００３８】
更に、ロビーインターホン２及び警報監視盤３及び宅内インターホン１全てに通話音量自動調整回路１０が備わっているので、ロビーインターホン２及び警報監視盤３及び宅内インターホン１の周囲環境の違いに応じて通話用スピーカー１２ａから出力される声量のレベル値を設定することができるので、より一層、聞き手は話し手の声が聞き取り易くなる。
【００３９】
更に、通話開始時、通話音量自動調整回路１０が動作し通話用スピーカー１２ａから出力される声量を所定のレベルにしてから話し手の声量が変化する場合、普通であれば、通話開始時には話し手の声量が大きく、一定時間経過後に声量が安定し定常の声量になった場合は、聞き手は、通話開始時には適切な声量で聞くことが出来るが、一定時間経過後は、聞き手は、小さな声量で聞くことになる。また、通話開始時には話し手の声量が小さく、一定時間経過後に声量が安定し定常の声量になった場合は、聞き手は、通話開始時には適切な声量で聞くことが出来るが、一定時間経過後は、聞き手は、大きな声量で聞かなければならなくなる。これに対し、本実施形態では、所定時間後に再び通話声量自動調整回路１０が話し手の声量を検出し通話用スピーカー１２ａから出力される声量を所定のレベルに設定することにより、通話中に話し手の声量が変化した場合でも所定時間後には聞き手に聞こえる声量が一定になり、聞き手は話し手の声が聞き取り易くなる。
【００４０】
なお、話し手がロビーインタホン２で聞き手が警報監視盤３を使って通話する場合と、話し手が宅内インターホン１で聞き手がロビーインターホン２又は警報監視盤３を使って通話する場合と、話し手が警報監視盤３で聞き手が宅内インターホン１又はロビーインタホン２を使って通話する場合と、は上記説明と同様の作用効果を有するので説明は省略する。
【００４１】
【発明の効果】
上述のごとく、本発明の請求項１記載の発明にあっては、通話用スピーカーから出力される声量を自動的に所定のレベルにすることにより、聞き手に聞こえる声量が常に一定になり聞き手は、話し手の声が聞き取り易くなる
又、請求項２記載の発明にあっては、特に、ロビーインターホン及び警報監視盤及び宅内インターホン全てに通話音量自動調整回路が備わっているので、ロビーインターホン及び警報監視盤及び宅内インターホンなどの周囲環境の違いに応じて話し手の声量を自動調整することにより、より一層、聞き手は話し手の声が聞き取り易くなる。
【００４２】
又、請求項３記載の発明にあっては、特に、通話中に話し手の声量が変わった場合でも所定時間後に再び通話音量自動調整回路が動作し、通話用スピーカーから出力される声量を所定のレベルにするので、所定時間後には聞き手に聞こえる声量が一定になり、聞き手は話し手の声が聞き取り易くなる。
【図面の簡単な説明】
【図１】本発明の実施形態であるインターホンシステムのシステム図
【図２】上記のインターホンシステムの構成を示すブロック図
【図３】上記のインターホンシステムを示す構成を示す回路ブロック図
【図４】上記のインターホンシステムのフローチャート
【図５】上記のインターホンシステムのハンドセットを示す構成図
【図６】上記のインターホンシステムの通話音量自動調整回路を示す構成図
【図７】特開２０００−２８６９７４号公報記載のインターホンシステムを示す構成図
【符号の説明】
１      宅内インターホン
２      ロビーインターホン
３      警報監視盤
１０    通話音量自動調整回路
１１ａ  アンプ
１２ａ  通話用スピーカー
１３ａ  通話用マイク
２０ａ  利得調整回路
２０ｂ  検知回路
【図１】
2004207855.tif 000003
【図２】
2004207855.tif 000004
【図３】
2004207855.tif 000005
【図４】
2004207855.tif 000006
【図５】
2004207855.tif 000007
【図６】
2004207855.tif 000008
【図７】
2004207855.tif 000009